(57)【特許請求の範囲】
【請求項１】
局部発振信号を出力する局部発振回路と、
角度変調信号及び前記局部発振信号を入力し、当該角度変調信号及び当該局部発振信号に基づき、中間周波信号を生成する周波数変換部と、
前記周波数変換部より前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調部と、
を備える角度復調装置であって、
前記局部発振回路は、
基準発振信号を出力する基準発振回路と、
前記中間周波信号を入力し、前記基準発振信号が前記中間周波信号の搬送波成分に同期するように前記基準発振回路を制御し、さらに、前記中間周波信号の搬送波成分と前記基準発振信号との位相差が実質的に０であるか否かを判別し、０であると判別したとき、前記スケルチ解除信号を生成して前記復調部に供給し、０でないと判別したとき、前記スケルチ解除信号の供給を停止する基準発振回路制御回路と、
前記基準発振信号を入力し、入力した基準発振信号の周波数に対し一定の比率を有する周波数に収束する信号を生成することにより、前記角度変調信号の搬送波周波数と所定範囲内のオフセット周波数との和又は差に実質的に等しい周波数を有する第１の局部発振信号と当該第１の局部発振信号と実質的に９０度位相が異なる第１の移相信号を生成し、前記周波数変換部に供給する第１の局部信号生成部と、
前記基準発振信号を所定の第１の分周比で分周することにより、所定の中間周波数と前記オフセット周波数との差又は和に実質的に等しい周波数を有する第２の局部発振信号と当該第２の局部発振信号と実質的に９０度位相が異なる第２の移相信号とを生成し、前記周波数変換部に供給する第２の局部信号生成部と、
を備え、
前記周波数変換部は、
外部より前記角度変調信号を入力し、前記第１の局部発振信号生成部より前記第１の局部発振信号及び前記第１の移相信号を入力して、前記角度変調信号の瞬時値と前記第１の局部発振信号の瞬時値との積のうち周波数が実質的に０である成分を除いた成分からなる第１のベースバンド信号を生成し、前記角度変調信号の瞬時値と前記第１の移相信号の瞬時値との積のうち周波数が実質的に０である成分を除いた成分からなる第２のベースバンド信号を生成する第１の混合部と、
前記第１の混合部より前記第１のベースバンド信号及び第２のベースバンド信号を入力し、前記第２の局部信号生成部より前記第２の局部発振信号及び前記第２の移相信号を入力して、前記第１のベースバンド信号の瞬時値と前記第２の局部発振信号の瞬時値との積及び前記第２のベースバンド信号の瞬時値と前記第２の移相信号の瞬時値との積の和又は差を表す中間周波信号を生成して、前記復調部に出力する第２の混合部と、
を備える、
ことを特徴とする角度復調装置。
【請求項２】
前記基準発振回路は、前記基準発振信号の周波数を、自己に供給される制御信号が示す変化量だけ変化させる可変周波数発振器から構成され、
前記基準発振回路は、前記中間周波信号と第１の信号との位相を比較し、位相差を小さくするように前記可変周波数発振器の発振周波数を制御する前記制御信号を前記可変周波数発振器に出力する位相比較手段と、前記基準発振信号を分周して前記第１の信号を生成し、生成した第１の信号を前記位相比較手段に出力する分周手段と、を備え、
前記位相比較手段は、前記中間周波信号の搬送波成分と前記第１の信号との位相差が位相差が実質的に０であるか否かを判別し、０であると判別したとき、前記スケルチ解除信号を生成して前記復調部へと供給し、０でないと判別したとき、前記スケルチ解除信号の供給を停止する手段を含む、
ことを特徴とする請求項１に記載の角度復調装置。
【請求項３】
前記第１の局部信号生成部は、
自己に供給される制御信号が示す変化量だけ発振周波数を変化させ、発振信号を前記第１の局部発振信号として出力する第２の可変周波数発振器と、
前記第２の可変周波数発振器の出力信号を分周する第２の分周手段と、
前記基準発振信号を分周して第３の信号を生成する第３の分周手段と、
前記第２の信号と第３の信号との位相差を求め、該位相差が小さくなるように前記第２の可変周波数発振器の発振周波数を制御する第２の制御信号を前記第２の可変周波数発振器に出力する第２の発振器制御回路と、
前記第１の局部発振信号と実質的に９０度位相が異なる前記第１の移相信号を生成し、前記周波数変換部に供給する第１の移相部と、
から構成され、
前記第２の局部信号生成部は、
前記基準発振信号を分周して前記第２の局部発振信号を出力する分周回路と、
前記第２の局部発振信号と実質的に９０度位相が異なる第２の移相信号を生成する第２の移相回路と、
を備える、
ことを特徴とする請求項１又は２に記載の角度復調装置。
【請求項４】
外部より角度変調信号を入力し、第１の局部発振信号及び第１の移相信号を入力して、前記角度変調信号と前記第１の局部発振信号とを混合して第１のベースバンド信号を生成し、前記角度変調信号と前記第１の移相信号とを混合して第２のベースバンド信号を生成する第１の混合部と、
前記第１の混合部より前記第１の及び第２のベースバンド信号を入力し、第２の局部発振信号及び第２の移相信号を入力して、前記第１のベースバンド信号と前記第２の局部発振信号とを混合した信号と前記第２のベースバンド信号と前記第２の移相信号とを混合した信号との和又は差を表す中間周波信号を生成して出力する第２の混合部と、
前記第２の混合部からの前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調部と、
基準発振信号を出力する基準発振回路と、
前記中間周波信号を入力し、前記基準発振信号が前記中間周波信号の搬送波成分に同期するように前記基準発振回路を制御し、さらに、前記中間周波信号の搬送波成分と前記基準発振信号とが実質的に同期したか否かを判別し、同期したと判別したとき、前記スケルチ解除信号を生成して前記復調部へと供給し、同期していないと判別したとき、前記スケルチ解除信号の供給を停止する基準発振回路制御回路と、
前記基準発振信号に基づいて、前記第１の局部発振信号及び前記第１の局部発振信号と実質的に９０度位相の異なる前記第１の移相信号を生成して、前記第１の混合部に供給し、前記基準発振信号に基づいて、前記第２の局部発振信号及び前記第１の局部発振信号と実質的に９０度位相の異なる前記第２の移相信号を生成して、前記第２の混合部に供給する局部発振信号生成回路と、
を備える、ことを特徴とする角度復調装置。
【請求項５】
前記基準発振回路制御回路は、前記中間周波信号と第１の信号との位相を比較し、位相差を小さくするように前記可変周波数発振器の発振周波数を制御する第１の制御信号を出力する位相比較手段と、前記基準発振信号を分周して第１の信号を生成し、生成した第１の信号を前記位相比較手段に出力する分周手段と、を備え、
前記位相比較手段は、前記中間周波信号の搬送波成分と前記第１の信号との位相差が実質的に０であるか否かを判別し、０であると判別したとき、前記スケルチ解除信号を生成して前記復調部へと供給し、０でないと判別したとき、前記スケルチ解除信号の供給を停止し、
前記局部発振信号生成回路は、
自己に供給される制御信号が示す変化量だけ発振周波数を変化させ、発振信号を前記第１の局部発振信号として出力する第２の可変周波数発振器と、
前記第２の可変周波数発振器の出力信号を分周する第２の分周手段と、
前記基準発振信号を分周して第３の信号を生成する第３の分周手段と、
前記第２の信号と第３の信号との位相差を求め、該位相差が小さくなるように前記第２の可変周波数発振器の発振周波数を制御する第２の制御信号を出力する第２の発振器制御回路と、
前記第１の局部発振信号と実質的に９０度位相が異なる前記第１の移相信号を生成し、前記周波数変換部に供給する第１の移相部と、
前記基準発振信号を分周して前記第２の局部発振信号を出力する分周回路と、
前記第２の局部発振信号と実質的に９０度位相が異なる第２の移相信号とを生成する第２の移相部と、
を備える、
ことを特徴とする請求項４に記載の角度復調装置。
【請求項６】
外部より角度変調信号と第１の局部発振信号を入力して、前記角度変調信号と前記第１の局部発振信号とを混合して第１のベースバンド信号を生成する第１の混合部と、
前記第１の混合部より前記第１のベースバンド信号を入力し、前記第１のベースバンド信号と第２の局部発振信号とを混合し、混合した信号に基づいて、前記角度変調信号の搬送波の周波数を変換した中間周波信号を生成して出力する第２の混合部と、
前記第２の混合部からの前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調部と、
基準発振信号を出力する基準発振回路と、
前記中間周波信号を入力し、前記基準発振信号が前記中間周波信号の搬送波成分に同期するように前記基準発振回路を制御し、さらに、前記中間周波信号の搬送波成分と前記基準発振信号とが実質的に同期したか否かを判別し、同期したと判別したとき、前記スケルチ解除信号を生成して前記復調部へと供給し、同期していないと判別したとき、前記スケルチ解除信号の供給を停止する基準発振回路制御回路と、
前記基準発振信号に基づいて、前記第１の局部発振信号を生成して、前記第１の混合部に供給し、前記基準発振信号に基づいて、前記第２の局部発振信号を生成して、前記第２の混合部に供給する局部発振信号生成回路と、
を備える、ことを特徴とする角度復調装置。
【請求項７】
局部発振信号を出力する発振ステップと、
角度変調信号及び前記局部発振信号を入力し、当該角度変調信号及び当該局部発振信号に基づき、中間周波信号を生成する周波数変換ステップと、
前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調ステップと、
を備える角度変調信号の復調方法であって、
前記発振ステップは、
発振動作を行って基準発振信号を出力する基準発振ステップと、
前記中間周波信号を入力し、前記基準発振信号が前記中間周波信号の搬送波成分に同期するように前記発振動作を制御し、さらに、前記中間周波数号の搬送波成分と前記基準発振信号との位相差が実質的に０であるか否かを判別し、０であると判別したとき、前記スケルチ解除信号を生成し、０でないと判別したとき、前記スケルチ解除信号の生成を停止する発振制御ステップと、
前記基準発振信号を入力し、入力した基準発振信号の周波数に対し一定の比率を有する周波数に収束する信号を生成することにより、前記角度変調信号の搬送波周波数と所定範囲内のオフセット周波数との和又は差に実質的に等しい周波数を有する第１の局部発振信号と当該第１の局部発振信号と実質的に９０度位相が異なる第１の移相信号を生成する第１の発振ステップと、
前記基準発振信号を所定の第１の分周比で分周することにより、所定の中間周波数と前記オフセット周波数との差又は和に実質的に等しい周波数を有する前記第２の局部発振信号と当該第２の局部発振信号と実質的に９０度位相が異なる第２の移相信号とを生成する第２の発振ステップと、
を備え、
前記周波数変換ステップは、
外部より前記角度変調信号を入力し、前記第１の局部発振信号及び前記第１の移相信号を入力して、前記角度変調信号の瞬時値と前記第１の局部発振信号の瞬時値との積のうち周波数が実質的に０である成分を除いた成分からなる第１のベースバンド信号を生成し、前記角度変調信号の瞬時値と前記第１の移相信号の瞬時値との積のうち周波数が実質的に０である成分を除いた成分からなる第２のベースバンド信号を生成する第１の混合ステップと、
前記第１の及び第２のベースバンド信号を入力し、前記第２の局部発振信号及び前記第２の移相信号を入力して、前記第１のベースバンド信号の瞬時値と前記第２の局部発振信号の瞬時値との積及び前記第２のベースバンド信号の瞬時値と前記第２の移相信号の瞬時値との積の和又は差を表す前記中間周波信号を生成して出力する第２の混合ステップと、
を備える、ことを特徴とする角度変調信号の復調方法。
【請求項８】
外部より角度変調信号と、第１の局部発振信号及び第１の移相信号を入力して、前記角度変調信号と前記第１の局部発振信号とを混合して第１のベースバンド信号を生成し、前記角度変調信号と前記第１の移相信号とを混合して第２のベースバンド信号を生成する第１の混合ステップと、
前記第１の及び第２のベースバンド信号と第２の局部発振信号及び第２の移相信号を入力して、前記第１のベースバンド信号と前記第２の局部発振信号とを混合した信号と前記第２のベースバンド信号と前記第２の移相信号とを混合した信号との和又は差を表す中間周波信号を生成して出力する第２の混合ステップと、
前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調ステップと、
発振動作を行って基準発振信号を出力する基準発振ステップと、
前記中間周波信号を入力し、前記基準発振信号が前記中間周波信号の搬送波成分に同期するように前記発振動作を制御し、さらに、前記中間周波信号の搬送波成分と前記基準発振信号とが実質的に同期したか否かを判別し、同期したと判別したとき、前記スケルチ解除信号を生成して供給し、同期していないと判別したとき、前記スケルチ解除信号の供給を停止する発振制御ステップと、
前記基準発振信号に基づいて、前記第１の局部発振信号及び前記第１の局部発振信号と実質的に９０度位相の異なる前記第１の移相信号を生成して供給し、前記基準発振信号に基づいて、前記第２の局部発振信号及び前記第１の局部発振信号と実質的に９０度位相の異なる前記第２の移相信号を生成して供給する局部発振信号生成ステップと、
を備える、ことを特徴とする角度変調信号の復調方法。
【請求項９】
外部より角度変調信号と第１の局部発振信号を入力して、前記角度変調信号と前記第１の局部発振信号とを混合して第１のベースバンド信号を生成する第１の混合ステップと、
前記第１のベースバンド信号を入力し、前記第１のベースバンド信号と第２の局部発振信号とを混合し、混合した信号に基づいて、前記角度変調信号の搬送波の周波数を変換した中間周波信号を生成して出力する第２の混合ステップと、
前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調ステップと、
発振動作を行って基準発振信号を出力する基準発振ステップと、
前記中間周波信号を入力し、前記基準発振信号が前記中間周波信号の搬送波成分に同期するように前記発振動作を制御し、さらに、前記中間周波信号の搬送波成分と前記基準発振信号とが実質的に同期したか否かを判別し、同期したと判別したとき、前記スケルチ解除信号を生成して供給し、同期していないと判別したとき、前記スケルチ解除信号の供給を停止する発振制御ステップと、
前記基準発振信号に基づいて、前記第１の局部発振信号を生成し、前記基準発振信号に基づいて、前記第２の局部発振信号を生成する局部発振信号生成ステップと、
を備える、ことを特徴とする角度変調信号の復調方法。
【請求項１０】
コンピュータに、
角度変調信号及び局部発振信号を入力し、当該角度変調信号及び当該局部発振信号に基づき、中間周波信号を生成する周波数変換ステップと、
前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調ステップと、
を備える角度変調信号の復調方法を実行させるコンピュータプログラムを記録した記録媒体であって、
前記プログラムが前記コンピュータに実行させる前記発振ステップは、
前記中間周波信号を入力し、所定の基準発振信号を前記中間周波信号の搬送波成分に同期するように制御し、さらに、前記中間周波数号の搬送波成分と前記基準発振信号との位相差が実質的に０であるか否かを判別し、０であると判別したとき、前記スケルチ解除信号を生成し、０でないと判別したとき、前記スケルチ解除信号の生成を停止する発振制御ステップと、
前記基準発振信号を入力し、入力した基準発振信号の周波数に対し一定の比率を有する周波数に収束する信号を生成することにより、前記角度変調信号の搬送波周波数と所定範囲内のオフセット周波数との和又は差に実質的に等しい周波数を有する第１の局部発振信号と当該第１の局部発振信号と実質的に９０度位相が異なる第１の移相信号を生成する第１の発振ステップと、
前記基準発振信号を所定の第１の分周比で分周することにより、所定の中間周波数と前記オフセット周波数との差又は和に実質的に等しい周波数を有する前記第２の局部発振信号と当該第２の局部発振信号と実質的に９０度位相が異なる第２の移相信号とを生成する第２の発振ステップと、
を備え、
前記コンピュータプログラムが前記コンピュータに実行させる前記周波数変換ステップは、
外部より前記角度変調信号を入力し、前記第１の局部発振信号及び前記第１の移相信号を入力して、前記角度変調信号の瞬時値と前記第１の局部発振信号の瞬時値との積のうち周波数が実質的に０である成分を除いた成分からなる第１のベースバンド信号を生成し、前記角度変調信号の瞬時値と前記第１の移相信号の瞬時値との積のうち周波数が実質的に０である成分を除いた成分からなる第２のベースバンド信号を生成する第１の混合ステップと、
前記第１の及び第２のベースバンド信号を入力し、前記第２の局部発振信号及び前記第２の移相信号を入力して、前記第１のベースバンド信号の瞬時値と前記第２の局部発振信号の瞬時値との積及び前記第２のベースバンド信号の瞬時値と前記第２の移相信号の瞬時値との積の和又は差を表す前記中間周波信号を生成して出力する第２の混合ステップと、
を備える、
ことを特徴とするコンピュータプログラムを記録した記録媒体。
【請求項１１】
コンピュータに、
外部より角度変調信号と、第１の局部発振信号及び第１の移相信号を入力して、前記角度変調信号と前記第１の局部発振信号とを混合して第１のベースバンド信号を生成し、前記角度変調信号と前記第１の移相信号とを混合して第２のベースバンド信号を生成する第１の混合ステップと、
前記第１の及び第２のベースバンド信号と第２の局部発振信号及び第２の移相信号を入力して、前記第１のベースバンド信号と前記第２の局部発振信号とを混合した信号と前記第２のベースバンド信号と前記第２の移相信号とを混合した信号との和又は差を表す中間周波信号を生成して出力する第２の混合ステップと、
前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調ステップと、
発振動作を行って基準発振信号を出力する基準発振ステップと、
前記中間周波信号を入力し、前記基準発振信号が前記中間周波信号の搬送波成分に同期するように前記発振動作を制御し、さらに、前記中間周波信号の搬送波成分と前記基準発振信号とが実質的に同期したか否かを判別し、同期したと判別したとき、前記スケルチ解除信号を生成して供給し、同期していないと判別したとき、前記スケルチ解除信号の供給を停止する発振制御ステップと、
前記基準発振信号に基づいて、前記第１の局部発振信号及び前記第１の局部発振信号と実質的に９０度位相の異なる前記第１の移相信号を生成して供給し、前記基準発振信号に基づいて、前記第２の局部発振信号及び前記第１の局部発振信号と実質的に９０度位相の異なる前記第２の移相信号を生成して供給する局部発振信号生成ステップと、
を実行させることにより角度変調信号の復調を可能とするコンピュータプログラムを記録した記録媒体。
【請求項１２】
コンピュータに、
外部より角度変調信号と第１の局部発振信号を入力して、前記角度変調信号と前記第１の局部発振信号とを混合して第１のベースバンド信号を生成する第１の混合ステップと、
前記第１のベースバンド信号を入力し、前記第１のベースバンド信号と第２の局部発振信号とを混合し、混合した信号に基づいて、前記角度変調信号の搬送波の周波数を変換した中間周波信号を生成して出力する第２の混合ステップと、
前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調ステップと、
発振動作を行って基準発振信号を出力する基準発振ステップと、
前記中間周波信号を入力し、前記基準発振信号が前記中間周波信号の搬送波成分に同期するように前記発振動作を制御し、さらに、前記中間周波信号の搬送波成分と前記基準発振信号とが実質的に同期したか否かを判別し、同期したと判別したとき、前記スケルチ解除信号を生成して供給し、同期していないと判別したとき、前記スケルチ解除信号の供給を停止する発振制御ステップと、
前記基準発振信号に基づいて、前記第１の局部発振信号を生成し、前記基準発振信号に基づいて、前記第２の局部発振信号を生成する局部発振信号生成ステップと、
を実行させることにより角度変調信号の復調を可能とするコンピュータプログラムを記録した記録媒体。
【発明の詳細な説明】
【０００１】
【発明の属する技術分野】
この発明は、角度復調装置と角度変調信号の復調方法に関する。
【０００２】
【従来の技術】
ＦＭ（Frequency Modulation）変調信号を復調するＦＭ復調装置では、ＦＭ復調信号が受信されていない間に増大する雑音を抑制するため、スケルチ回路が用いられている。
【０００３】
スケルチ回路は、例えば、ＦＭ変調信号の復調により得られるＦＭ復調信号のうち実質的に雑音のみが含まれる帯域成分（例えば、ＦＭ復調信号が音声を表すならば、３０キロヘルツ付近の帯域成分）を通過させるＢＰＦ（Band Pass Filter）と、このＢＰＦを通過した帯域成分を増幅する増幅器と、増幅器により増幅された帯域成分を整流する整流回路とからなっている。
【０００４】
そして、スケルチ回路が備える整流回路が出力する整流電圧が一定値以上に達したとき、ＦＭ復調信号を再生するための再生装置（例えば、ＦＭ復調信号が表す音声を再生するスピーカを駆動する増幅器）の動作を停止させることにより、雑音が再生されることを阻止している。
【０００５】
【発明が解決しようとする課題】
しかし、上述の構成のスケルチ回路を備えるＦＭ復調装置は構成が複雑となり、ＦＭ復調装置全体の大型化を招いていた。
また、上述の構成のスケルチ回路は、ＢＰＦを通過する帯域成分のレベルが低下して、整流回路の整流電圧が一定値を下回った場合は、ＦＭ変調信号が受信されていない場合でも再生装置の動作停止が解除されてしまい、誤って雑音が再生される。
【０００６】
また、上述のスケルチ回路は、ＦＭ変調信号の変調度がほぼ最大で搬送波の変調に用いた元の信号波の周波数が１〜３．５キロヘルツ程度である場合に誤って再生装置の動作を停止させる誤動作（ＳＱＬブロッキング）を発生させやすいという問題がある。
【０００７】
また、ＦＭ復調装置が、ＰＬＬ（Phase Lock Loop）制御により所定の中間周波数にロックする局部発振信号を用いて中間周波信号を生成する段を含む場合、上述のスケルチ回路は、中間周波信号の周波数が中間周波数へと十分に収束していない状態で再生装置の動作停止を解除する。
従って、再生されるＦＭ復調信号が元の信号波と実質的に一致しなくなる。復調する対象のＦＭ変調信号が、デジタル信号を用いて搬送波を角度変調して得られるものである場合（例えば、ＦＳＫ（Frequency Shift Keying）変調波やＰＳＫ（Phase Shift Keying）変調波である場合）、ＦＭ復調信号と元の信号波とが実質的に一致しないと、ＦＭ復調信号が表すデジタル信号は誤りを含むものとなる。
【０００８】
この発明は上記実状に鑑みてなされたもので、構成が簡単なスケルチ装置を備える角度復調装置及び角度変調信号の復調方法を提供することを目的とする。
また、この発明は、角度復調信号の不正確な再生が防止される角度復調装置及び角度変調信号の復調方法を提供することも目的とする。
また、この発明は、角度復調信号を再生し、雑音の再生を阻止する角度復調装置及び角度変調信号の復調方法を提供することも目的する。
【０００９】
【課題を解決するための手段】
上記目的を達成するため、この発明の第１の観点にかかる角度復調装置は、
局部発振信号を出力する局部発振回路と、
角度変調信号及び前記局部発振信号を入力し、当該角度変調信号及び当該局部発振信号に基づき、中間周波信号を生成する周波数変換部と、
前記周波数変換部より前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調部と、
を備える角度復調装置であって、
前記局部発振回路は、
基準発振信号を出力する基準発振回路と、
前記中間周波信号を入力し、前記基準発振信号が前記中間周波信号の搬送波成分に同期するように前記基準発振回路を制御し、さらに、前記中間周波信号の搬送波成分と前記基準発振信号との位相差が実質的に０であるか否かを判別し、０であると判別したとき、前記スケルチ解除信号を生成して前記復調部に供給し、０でないと判別したとき、前記スケルチ解除信号の供給を停止する基準発振回路制御回路と、
前記基準発振信号を入力し、入力した基準発振信号の周波数に対し一定の比率を有する周波数に収束する信号を生成することにより、前記角度変調信号の搬送波周波数と所定範囲内のオフセット周波数との和又は差に実質的に等しい周波数を有する第１の局部発振信号と当該第１の局部発振信号と実質的に９０度位相が異なる第１の移相信号を生成し、前記周波数変換部に供給する第１の局部信号生成部と、
前記基準発振信号を所定の第１の分周比で分周することにより、所定の中間周波数と前記オフセット周波数との差又は和に実質的に等しい周波数を有する第２の局部発振信号と当該第２の局部発振信号と実質的に９０度位相が異なる第２の移相信号とを生成し、前記周波数変換部に供給する第２の局部信号生成部と、
を備え、
前記周波数変換部は、
外部より前記角度変調信号を入力し、前記第１の局部発振信号生成部より前記第１の局部発振信号及び前記第１の移相信号を入力して、前記角度変調信号の瞬時値と前記第１の局部発振信号の瞬時値との積のうち周波数が実質的に０である成分を除いた成分からなる第１のベースバンド信号を生成し、前記角度変調信号の瞬時値と前記第１の移相信号の瞬時値との積のうち周波数が実質的に０である成分を除いた成分からなる第２のベースバンド信号を生成する第１の混合部と、
前記第１の混合部より前記第１のベースバンド信号及び第２のベースバンド信号を入力し、前記第２の局部信号生成部より前記第２の局部発振信号及び前記第２の移相信号を入力して、前記第１のベースバンド信号の瞬時値と前記第２の局部発振信号の瞬時値との積及び前記第２のベースバンド信号の瞬時値と前記第２の移相信号の瞬時値との積の和又は差を表す中間周波信号を生成して、前記復調部に出力する第２の混合部と、
を備える、
ことを特徴とする。
【００１０】
例えば、前記基準発振回路は、前記基準発振信号の周波数を、自己に供給される制御信号が示す変化量だけ変化させる可変周波数発振器から構成され、前記基準発振回路は、前記中間周波信号と第１の信号との位相を比較し、位相差を小さくするように前記可変周波数発振器の発振周波数を制御する前記制御信号を前記可変周波数発振器に出力する位相比較手段と、前記基準発振信号を分周して前記第１の信号を生成し、生成した第１の信号を前記位相比較手段に出力する分周手段と、を備え、前記位相比較手段は、前記中間周波信号の搬送波成分と前記第１の信号との位相差が位相差が実質的に０であるか否かを判別し、０であると判別したとき、前記スケルチ解除信号を生成して前記復調部へと供給し、０でないと判別したとき、前記スケルチ解除信号の供給を停止する手段を含む。
例えば、前記第１の局部信号生成部は、自己に供給される制御信号が示す変化量だけ発振周波数を変化させ、発振信号を前記第１の局部発振信号として出力する第２の可変周波数発振器と、前記第２の可変周波数発振器の出力信号を分周する第２の分周手段と、前記基準発振信号を分周して第３の信号を生成する第３の分周手段と、前記第２の信号と第３の信号との位相差を求め、該位相差が小さくなるように前記第２の可変周波数発振器の発振周波数を制御する第２の制御信号を前記第２の可変周波数発振器に出力する第２の発振器制御回路と、前記第１の局部発振信号と実質的に９０度位相が異なる前記第１の移相信号を生成し、前記周波数変換部に供給する第１の移相部と、から構成され、前記第２の局部信号生成部は、前記基準発振信号を分周して前記第２の局部発振信号を出力する分周回路と、前記第２の局部発振信号と実質的に９０度位相が異なる第２の移相信号を生成する第２の移相回路と、を備える。
【００１１】
また、この発明の第２の観点にかかる角度復調装置は、
外部より角度変調信号を入力し、第１の局部発振信号及び第１の移相信号を入力して、前記角度変調信号と前記第１の局部発振信号とを混合して第１のベースバンド信号を生成し、前記角度変調信号と前記第１の移相信号とを混合して第２のベースバンド信号を生成する第１の混合部と、
前記第１の混合部より前記第１の及び第２のベースバンド信号を入力し、第２の局部発振信号及び第２の移相信号を入力して、前記第１のベースバンド信号と前記第２の局部発振信号とを混合した信号と前記第２のベースバンド信号と前記第２の移相信号とを混合した信号との和又は差を表す中間周波信号を生成して出力する第２の混合部と、
前記第２の混合部からの前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調部と、
基準発振信号を出力する基準発振回路と、前記中間周波信号を入力し、前記基準発振信号が前記中間周波信号の搬送波成分に同期するように前記基準発振回路を制御し、さらに、前記中間周波信号の搬送波成分と前記基準発振信号とが実質的に同期したか否かを判別し、同期したと判別したとき、前記スケルチ解除信号を生成して前記復調部へと供給し、同期していないと判別したとき、前記スケルチ解除信号の供給を停止する基準発振回路制御回路と、
前記基準発振信号に基づいて、前記第１の局部発振信号及び前記第１の局部発振信号と実質的に９０度位相の異なる前記第１の移相信号を生成して、前記第１の混合部に供給し、前記基準発振信号に基づいて、前記第２の局部発振信号及び前記第１の局部発振信号と実質的に９０度位相の異なる前記第２の移相信号を生成して、前記第２の混合部に供給する局部発振信号生成回路と、
から構成される。
【００１２】
例えば、前記基準発振回路制御回路は、前記中間周波信号と第１の信号との位相を比較し、位相差を小さくするように前記可変周波数発振器の発振周波数を制御する第１の制御信号を出力する位相比較手段と、前記基準発振信号を分周して第１の信号を生成し、生成した第１の信号を前記位相比較手段に出力する分周手段と、を備え、前記位相比較手段は、前記中間周波信号の搬送波成分と前記第１の信号との位相差が実質的に０であるか否かを判別し、０であると判別したとき、前記スケルチ解除信号を生成して前記復調部へと供給し、０でないと判別したとき、前記スケルチ解除信号の供給を停止し、前記局部発振信号生成回路は、自己に供給される制御信号が示す変化量だけ発振周波数を変化させ、発振信号を前記第１の局部発振信号として出力する第２の可変周波数発振器と、前記第２の可変周波数発振器の出力信号を分周する第２の分周手段と、前記基準発振信号を分周して第３の信号を生成する第３の分周手段と、前記第２の信号と第３の信号との位相差を求め、該位相差が小さくなるように前記第２の可変周波数発振器の発振周波数を制御する第２の制御信号を出力する第２の発振器制御回路と、前記第１の局部発振信号と実質的に９０度位相が異なる前記第１の移相信号を生成し、前記周波数変換部に供給する第１の移相部と、前記基準発振信号を分周して前記第２の局部発振信号を出力する分周回路と、前記第２の局部発振信号と実質的に９０度位相が異なる第２の移相信号とを生成する第２の移相部と、を備えてもよい。
【００１３】
また、この発明の第３の観点にかかる角度復調装置は、
外部より角度変調信号と第１の局部発振信号を入力して、前記角度変調信号と前記第１の局部発振信号とを混合して第１のベースバンド信号を生成する第１の混合部と、
前記第１の混合部より前記第１のベースバンド信号を入力し、前記第１のベースバンド信号と第２の局部発振信号とを混合し、混合した信号に基づいて、前記角度変調信号の搬送波の周波数を変換した中間周波信号を生成して出力する第２の混合部と、
前記第２の混合部からの前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調部と、
基準発振信号を出力する基準発振回路と、
前記中間周波信号を入力し、前記基準発振信号が前記中間周波信号の搬送波成分に同期するように前記基準発振回路を制御し、さらに、前記中間周波信号の搬送波成分と前記基準発振信号とが実質的に同期したか否かを判別し、同期したと判別したとき、前記スケルチ解除信号を生成して前記復調部へと供給し、同期していないと判別したとき、前記スケルチ解除信号の供給を停止する基準発振回路制御回路と、
前記基準発振信号に基づいて、前記第１の局部発振信号を生成して、前記第１の混合部に供給し、前記基準発振信号に基づいて、前記第２の局部発振信号を生成して、前記第２の混合部に供給する局部発振信号生成回路と、
から構成される。
【００１４】
また、この発明の第４の観点にかかる角度変調信号の復調方法は、
局部発振信号を出力する発振ステップと、
角度変調信号及び前記局部発振信号を入力し、当該角度変調信号及び当該局部発振信号に基づき、中間周波信号を生成する周波数変換ステップと、
前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調ステップと、
を備える角度変調信号の復調方法であって、
前記発振ステップは、
発振動作を行って基準発振信号を出力する基準発振ステップと、
前記中間周波信号を入力し、前記基準発振信号が前記中間周波信号の搬送波成分に同期するように前記発振動作を制御し、さらに、前記中間周波数号の搬送波成分と前記基準発振信号との位相差が実質的に０であるか否かを判別し、０であると判別したとき、前記スケルチ解除信号を生成し、０でないと判別したとき、前記スケルチ解除信号の生成を停止する発振制御ステップと、
前記基準発振信号を入力し、入力した基準発振信号の周波数に対し一定の比率を有する周波数に収束する信号を生成することにより、前記角度変調信号の搬送波周波数と所定範囲内のオフセット周波数との和又は差に実質的に等しい周波数を有する第１の局部発振信号と当該第１の局部発振信号と実質的に９０度位相が異なる第１の移相信号を生成する第１の発振ステップと、
前記基準発振信号を所定の第１の分周比で分周することにより、所定の中間周波数と前記オフセット周波数との差又は和に実質的に等しい周波数を有する前記第２の局部発振信号と当該第２の局部発振信号と実質的に９０度位相が異なる第２の移相信号とを生成する第２の発振ステップと、
を備え、
前記周波数変換ステップは、
外部より前記角度変調信号を入力し、前記第１の局部発振信号及び前記第１の移相信号を入力して、前記角度変調信号の瞬時値と前記第１の局部発振信号の瞬時値との積のうち周波数が実質的に０である成分を除いた成分からなる第１のベースバンド信号を生成し、前記角度変調信号の瞬時値と前記第１の移相信号の瞬時値との積のうち周波数が実質的に０である成分を除いた成分からなる第２のベースバンド信号を生成する第１の混合ステップと、
前記第１の及び第２のベースバンド信号を入力し、前記第２の局部発振信号及び前記第２の移相信号を入力して、前記第１のベースバンド信号の瞬時値と前記第２の局部発振信号の瞬時値との積及び前記第２のベースバンド信号の瞬時値と前記第２の移相信号の瞬時値との積の和又は差を表す前記中間周波信号を生成して出力する第２の混合ステップと、
を備える、ことを特徴とする。
【００１５】
また、この発明の第５の観点にかかる角度変調信号の復調方法は、
外部より角度変調信号と、第１の局部発振信号及び第１の移相信号を入力して、前記角度変調信号と前記第１の局部発振信号とを混合して第１のベースバンド信号を生成し、前記角度変調信号と前記第１の移相信号とを混合して第２のベースバンド信号を生成する第１の混合ステップと、
前記第１の及び第２のベースバンド信号と第２の局部発振信号及び第２の移相信号を入力して、前記第１のベースバンド信号と前記第２の局部発振信号とを混合した信号と前記第２のベースバンド信号と前記第２の移相信号とを混合した信号との和又は差を表す中間周波信号を生成して出力する第２の混合ステップと、
前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調ステップと、
発振動作を行って基準発振信号を出力する基準発振ステップと、
前記中間周波信号を入力し、前記基準発振信号が前記中間周波信号の搬送波成分に同期するように前記発振動作を制御し、さらに、前記中間周波信号の搬送波成分と前記基準発振信号とが実質的に同期したか否かを判別し、同期したと判別したとき、前記スケルチ解除信号を生成して供給し、同期していないと判別したとき、前記スケルチ解除信号の供給を停止する発振制御ステップと、
前記基準発振信号に基づいて、前記第１の局部発振信号及び前記第１の局部発振信号と実質的に９０度位相の異なる前記第１の移相信号を生成して供給し、前記基準発振信号に基づいて、前記第２の局部発振信号及び前記第１の局部発振信号と実質的に９０度位相の異なる前記第２の移相信号を生成して供給する局部発振信号生成ステップと、
を備える、ことを特徴とする。
【００１６】
また、この発明の第６の観点にかかる角度変調信号の復調方法は、
外部より角度変調信号と第１の局部発振信号を入力して、前記角度変調信号と前記第１の局部発振信号とを混合して第１のベースバンド信号を生成する第１の混合ステップと、
前記第１のベースバンド信号を入力し、前記第１のベースバンド信号と第２の局部発振信号とを混合し、混合した信号に基づいて、前記角度変調信号の搬送波の周波数を変換した中間周波信号を生成して出力する第２の混合ステップと、
前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調ステップと、
発振動作を行って基準発振信号を出力する基準発振ステップと、
前記中間周波信号を入力し、前記基準発振信号が前記中間周波信号の搬送波成分に同期するように前記発振動作を制御し、さらに、前記中間周波信号の搬送波成分と前記基準発振信号とが実質的に同期したか否かを判別し、同期したと判別したとき、前記スケルチ解除信号を生成して供給し、同期していないと判別したとき、前記スケルチ解除信号の供給を停止する発振制御ステップと、
前記基準発振信号に基づいて、前記第１の局部発振信号を生成し、前記基準発振信号に基づいて、前記第２の局部発振信号を生成する局部発振信号生成ステップと、
を備える。
【００１７】
また、この発明の第７の観点にかかるコンピュータプログラムを記録した記録媒体は、
コンピュータに、
角度変調信号及び局部発振信号を入力し、当該角度変調信号及び当該局部発振信号に基づき、中間周波信号を生成する周波数変換ステップと、
前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調ステップと、
を備える角度変調信号の復調方法を実行させるコンピュータプログラムを記録した記録媒体であって、
前記プログラムが前記コンピュータに実行させる前記発振ステップは、
前記中間周波信号を入力し、所定の基準発振信号を前記中間周波信号の搬送波成分に同期するように制御し、さらに、前記中間周波数号の搬送波成分と前記基準発振信号との位相差が実質的に０であるか否かを判別し、０であると判別したとき、前記スケルチ解除信号を生成し、０でないと判別したとき、前記スケルチ解除信号の生成を停止する発振制御ステップと、
前記基準発振信号を入力し、入力した基準発振信号の周波数に対し一定の比率を有する周波数に収束する信号を生成することにより、前記角度変調信号の搬送波周波数と所定範囲内のオフセット周波数との和又は差に実質的に等しい周波数を有する第１の局部発振信号と当該第１の局部発振信号と実質的に９０度位相が異なる第１の移相信号を生成する第１の発振ステップと、
前記基準発振信号を所定の第１の分周比で分周することにより、所定の中間周波数と前記オフセット周波数との差又は和に実質的に等しい周波数を有する前記第２の局部発振信号と当該第２の局部発振信号と実質的に９０度位相が異なる第２の移相信号とを生成する第２の発振ステップと、
を備え、
前記コンピュータプログラムが前記コンピュータに実行させる前記周波数変換ステップは、
外部より前記角度変調信号を入力し、前記第１の局部発振信号及び前記第１の移相信号を入力して、前記角度変調信号の瞬時値と前記第１の局部発振信号の瞬時値との積のうち周波数が実質的に０である成分を除いた成分からなる第１のベースバンド信号を生成し、前記角度変調信号の瞬時値と前記第１の移相信号の瞬時値との積のうち周波数が実質的に０である成分を除いた成分からなる第２のベースバンド信号を生成する第１の混合ステップと、
前記第１の及び第２のベースバンド信号を入力し、前記第２の局部発振信号及び前記第２の移相信号を入力して、前記第１のベースバンド信号の瞬時値と前記第２の局部発振信号の瞬時値との積及び前記第２のベースバンド信号の瞬時値と前記第２の移相信号の瞬時値との積の和又は差を表す前記中間周波信号を生成して出力する第２の混合ステップと、
を備える、
ことを特徴とする。
【００１８】
また、この発明の第８の観点にかかるコンピュータプログラムを記録した記録媒体は、
コンピュータに、
外部より角度変調信号と、第１の局部発振信号及び第１の移相信号を入力して、前記角度変調信号と前記第１の局部発振信号とを混合して第１のベースバンド信号を生成し、前記角度変調信号と前記第１の移相信号とを混合して第２のベースバンド信号を生成する第１の混合ステップと、
前記第１の及び第２のベースバンド信号と第２の局部発振信号及び第２の移相信号を入力して、前記第１のベースバンド信号と前記第２の局部発振信号とを混合した信号と前記第２のベースバンド信号と前記第２の移相信号とを混合した信号との和又は差を表す中間周波信号を生成して出力する第２の混合ステップと、
前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調ステップと、
発振動作を行って基準発振信号を出力する基準発振ステップと、
前記中間周波信号を入力し、前記基準発振信号が前記中間周波信号の搬送波成分に同期するように前記発振動作を制御し、さらに、前記中間周波信号の搬送波成分と前記基準発振信号とが実質的に同期したか否かを判別し、同期したと判別したとき、前記スケルチ解除信号を生成して供給し、同期していないと判別したとき、前記スケルチ解除信号の供給を停止する発振制御ステップと、
前記基準発振信号に基づいて、前記第１の局部発振信号及び前記第１の局部発振信号と実質的に９０度位相の異なる前記第１の移相信号を生成して供給し、前記基準発振信号に基づいて、前記第２の局部発振信号及び前記第１の局部発振信号と実質的に９０度位相の異なる前記第２の移相信号を生成して供給する局部発振信号生成ステップと、
を実行させることにより角度変調信号の復調を可能とするコンピュータプログラムを記録している。
【００１９】
また、この発明の第９の観点にかかるコンピュータプログラムを記録した記録媒体は、
コンピュータに、
外部より角度変調信号と第１の局部発振信号を入力して、前記角度変調信号と前記第１の局部発振信号とを混合して第１のベースバンド信号を生成する第１の混合ステップと、
前記第１のベースバンド信号を入力し、前記第１のベースバンド信号と第２の局部発振信号とを混合し、混合した信号に基づいて、前記角度変調信号の搬送波の周波数を変換した中間周波信号を生成して出力する第２の混合ステップと、
前記中間周波信号を入力して復調することにより角度復調信号を生成し、外部よりスケルチ解除信号が供給されたとき当該角度復調信号を出力し、当該スケルチ解除信号の供給が停止されたとき当該角度復調信号の出力を停止する復調ステップと、
発振動作を行って基準発振信号を出力する基準発振ステップと、
前記中間周波信号を入力し、前記基準発振信号が前記中間周波信号の搬送波成分に同期するように前記発振動作を制御し、さらに、前記中間周波信号の搬送波成分と前記基準発振信号とが実質的に同期したか否かを判別し、同期したと判別したとき、前記スケルチ解除信号を生成して供給し、同期していないと判別したとき、前記スケルチ解除信号の供給を停止する発振制御ステップと、
前記基準発振信号に基づいて、前記第１の局部発振信号を生成し、前記基準発振信号に基づいて、前記第２の局部発振信号を生成する局部発振信号生成ステップと、
を実行させることにより角度変調信号の復調を可能とするコンピュータプログラムを記録したものである。
【００２０】
【発明の実施の形態】
以下、この発明の実施の形態にかかる角度復調装置及び角度変調信号の復調方法を、ＦＭ（Frequency Modulation）受信機を例として説明する。
【００２１】
図１は、この発明の実施の形態にかかるＦＭ受信機の構成の一例を示す。
図示するように、このＦＭ受信機は、アンテナ１と、ＲＦ（Radio Frequency：ラジオ周波数）増幅器２と、分波器３と、ミキサ４Ｉ、４Ｑ、８Ｉ及び８Ｑと、ＬＰＦ（Low Pass Filter）５Ｉ、５Ｑ及び１６と、ＡＦ（Audio Frequency：オーディオ周波数）増幅器６Ｉ、６Ｑ及び１８と、直流除去部７Ｉ及び７Ｑと、移相器９及び１０と、局部発振器１１と、加算器１２と、ＢＰＦ（Band Pass Filter）１３と、ＩＦ（Intermediate Frequency：中間周波数）増幅器１４と、ＦＭ検波器１５と、ミュートスイッチ１７とより構成されている。
【００２２】
ＲＦ増幅器２は、電磁波によりアンテナ１に励起された信号（ＲＦ信号）をアンテナ１から供給されると、アンテナ１から供給された信号を増幅して分波器３に供給する。
分波器３は、ＲＦ増幅器２から供給されたＲＦ信号を、ミキサ４Ｉ及び４Ｑに供給する。
【００２３】
ミキサ４Ｉ及び４Ｑは、互いに実質的に同一の構成を有している。ミキサ４Ｉは、分波器３から供給されるＲＦ信号及び局部発振器１１から供給される後述の第１の局部発振信号との積を表す信号（Ｉチャンネルベースバンド信号）を生成して、ＬＰＦ５Ｉに供給する。ミキサ４Ｑは、分波器３から供給されるＲＦ信号と移相器９から供給される後述の第１移相信号との積を表す信号（Ｑチャンネルベースバンド信号）を生成して、ＬＰＦ５Ｑに供給する。
【００２４】
ＬＰＦ５Ｉ及び５Ｑは、互いに実質的に同一の構成を有している。ＬＰＦ５Ｉ及び５Ｑは、ミキサ４Ｉ又は４Ｑから供給されたＩチャンネルベースバンド信号又はＱチャンネルベースバンド信号をフィルタリングする。具体的には、ＬＰＦ５Ｉは、Ｉチャンネルベースバンド信号のうち、再生されるべき後述のＡＦ信号の帯域の上限を超える周波数成分を除去し、残りの周波数成分をＡＦ増幅器６Ｉに供給する。ＬＰＦ５Ｑは、Ｑチャンネルベースバンド信号のうち、再生されるべきＡＦ信号の帯域の上限を超える周波数成分を除去し、残りの周波数成分をＡＦ増幅器６Ｑに供給する。
【００２５】
ＡＦ増幅器６Ｉ及び６Ｑは互いに実質的に同一の構成を有している。ＡＦ増幅器６Ｉは、ＬＰＦ５Ｉから供給された信号を増幅して直流除去部７Ｉに供給し、ＡＦ増幅器６Ｑは、ＬＰＦ５Ｑから供給された信号を増幅して直流除去部７Ｑに供給する。
【００２６】
直流除去部７Ｉ及び７Ｑは互いに実質的に同一の構成を有しており、例えば、いずれもコンデンサより構成されている。直流除去部７Ｉは、ＡＦ増幅器６Ｉから供給された信号のうち直流成分を除去し、その他の成分をミキサ８Ｉに供給する。直流除去部７Ｑは、ＡＦ増幅器６Ｑから供給された信号のうち直流成分を除去し、その他の成分をミキサ８Ｑに供給する。
【００２７】
ミキサ８Ｉ及び８Ｑは、互いに実質的に同一の構成を有している。ミキサ８Ｉは、直流除去部７Ｉから供給される信号と局部発振器１１から供給される後述の第２の局部発振信号との積を表す信号のうち、周波数がこれら２つの信号の周波数の和（又は差）に実質的に等しい成分を表す信号を生成して、加算器１２に供給する。ミキサ８Ｑは、直流除去部７Ｑから供給される信号と移相器１０から供給される後述の第２移相信号との積を表す信号のうち、周波数がこれら２つの信号の周波数の和（又は差）に実質的に等しい成分を表す信号を生成して、加算器１２に供給する。
【００２８】
移相器９は、局部発振器１１より第１の局部発振信号を供給されると、第１の局部発振信号の位相を実質的に９０度遅らせた信号である第１移相信号を生成し、ミキサ４Ｑに供給する。
移相器１０は、局部発振器１１より第２の局部発振信号を供給されると、第２の局部発振信号の位相を実質的に９０度遅らせた信号である第２移相信号を生成し、ミキサ８Ｑに供給する。
【００２９】
加算器１２は、ミキサ８Ｉ及び８Ｑから供給される信号の和を表す信号を生成して、ＢＰＦ１３に供給する。
ＢＰＦ１３は、加算器１２から供給された信号をフィルタリングする。具体的には、ＢＰＦ１３は、加算器１２から供給された信号のうち、所定の中間周波数近傍の帯域の成分をＩＦ増幅器１４に供給し、その他の成分を実質的に遮断する。
ＩＦ増幅器１４は、ＢＰＦ１３から供給された成分（ＩＦ信号）を増幅して、ＦＭ検波器１５及び局部発振器１１に供給する。
【００３０】
ＦＭ検波器１５は、比検波器、クワドラチャ復調回路その他任意のＦＭ検波回路などから構成されており、ＩＦ増幅器１４から供給されたＩＦ信号の周波数変移を振幅へと変換することによりＩＦ信号のＦＭ復調を行い、復調により得られたＡＦ信号を、ＬＰＦ１６に供給する。
ＬＰＦ１６は、ＦＭ検波器１５から供給されたＡＦ信号のうち所定の周波数（例えば、可聴周波数帯域の上限）を超える周波数成分を除去し、残りの周波数成分をミュートスイッチ１７に供給する。
【００３１】
ミュートスイッチ１７は、無接点リレー等より構成されており、局部発振器１１より後述するＳＱＬ（Squelch）信号が供給されているとき、ＬＰＦ１６から供給されるＡＦ信号をＡＦ増幅器１８へと供給する。一方、自己にＳＱＬ信号が供給されていないときは、ＬＰＦ１６から供給されるＡＦ信号を実質的に遮断し、ＡＦ信号がＡＦ増幅器１８へと供給されないようにする。
ＡＦ増幅器１８は、ミュートスイッチ１７から供給されたＡＦ信号を増幅し、増幅されたＡＦ信号を、このＦＭ受信機の出力信号として出力し、再生する。
【００３２】
局部発振器１１は、図２に示すように、ＶＣＯ（Voltage Controlled Oscillator）１０１及び１１１と、分周器１０２、１０５、１０６、１０７及び１１２と、位相比較器１０３及び１０８と、ループフィルタ１０４及び１１０と、ＬＰＦ１０９とより構成されている。
【００３３】
ＶＣＯ１０１及び１１１は交流信号を生成し、各自が生成する交流信号の周波数を、各自に供給された制御信号が指定する変化分だけ変化させる。なお、ＶＣＯ１０１及び１１１は、いずれも、制御信号が未だ自己に供給されていない状態では、例えば、自己に固有のフリーランニング周波数の交流信号を生成するものとする。
ＶＣＯ１０１は、自己が生成した交流信号（基準発振信号）を分周器１０２、１０５及び１０７へと供給する。ＶＣＯ１１１は、自己が生成した交流信号を分周器１１２へと供給し、また、この交流信号を第１の局部発振信号としてミキサ４Ｉ及び移相器９へと供給する。
【００３４】
分周器１０２、１０５、１０６、１０７及び１１２は、いずれも、例えばフリップフロップ回路、カウンタ回路等より構成されている。
【００３５】
分周器１０２は、ＶＣＯ１０１より供給された交流信号を分周比ｐ（ただし、ｐは自然数）で分周する（すなわち、分周器１０２は、基準発振信号に同期し、基準発振信号の周波数のｐ分の１に実質的に等しい周波数を有する交流信号を生成する）。
そして、分周器１０２は、自己が分周を行って得られた信号を位相比較器１０３に供給する。
【００３６】
分周器１０５は、ＶＣＯ１０１より供給された交流信号を分周比ｑ（ただし、ｑは自然数）で分周し、自己が分周を行って得られた信号を分周器１０６に供給する。
分周器１０６は、分周器１０５より供給された交流信号を分周比ｒ（ただし、ｒは自然数）で分周し、自己が分周を行って得られた信号を、第２の局部発振信号としてミキサ８Ｉ及び移相器１０へと供給する。
【００３７】
分周器１０７は、ＶＣＯ１０１より供給された交流信号を分周比ｓ（ただし、ｓは自然数）で分周し、自己が分周を行って得られた信号を位相比較器１０８に供給する。
分周器１１２は、ＶＣＯ１１１より供給された交流信号を分周比ｔ（ただし、ｔは自然数）で分周し、自己が分周を行って得られた信号を位相比較器１０８へと供給する。
【００３８】
位相比較器１０３は、乗算回路等より構成されており、分周器１０２から供給される交流信号とＩＦ増幅器１４から供給されるＩＦ信号の搬送波成分との位相差を表す誤差信号を生成し、生成した誤差信号をループフィルタ１０４へと供給する。なお、誤差信号は、位相差を矩形波のデューティー比として表す形式の信号であるものとする。
ループフィルタ１０４は、所定の時定数を有する積分回路等より構成されており、位相比較器１０３より供給される誤差信号のデューティー比を表すレベルを有する制御信号を生成し、生成した制御信号をＶＣＯ１０１に供給する。
【００３９】
位相比較器１０３が出力する誤差信号は、分周器１０２から供給される交流信号とＩＦ増幅器１４から供給されるＩＦ信号の搬送波成分の位相差が実質的に０であるとき、ループフィルタ１０４から、基準発振信号の周波数の変化分を実質的に０と指定する制御信号が出力されるようなものとなる。すなわち、ループフィルタ１０４が出力する制御信号は、ＶＣＯ１０１が現に生成している交流信号の周波数をそのまま保つよう指定するものとなる。
【００４０】
一方、ＩＦ増幅器１４から供給される信号の搬送波成分の位相が、分周器１０２から供給される信号の位相より進んでいるときに位相比較器１０３が出力する誤差信号は、ループフィルタ１０４が出力する制御信号が示す変化分が正の値となるようなものとなる。すなわち、基準発振信号の周波数を上昇させるよう指定するものとなる。
一方、ＩＦ増幅器１４から供給される信号の搬送波成分の位相が、分周器１０２から供給される信号の位相より遅れているときに位相比較器１０３が出力する誤差信号は、ループフィルタ１０４が出力する制御信号が示す変化分が負の値となるようなものとなる。すなわち、基準発振信号の周波数を下降させるよう指定するものとなる。
ただし、誤差信号は、変化分の値が正負いずれである場合も、分周器１０２から供給される交流信号とＩＦ増幅器１４から供給されるＩＦ信号の搬送波成分との位相差が大きいほど、制御信号が指定する変化分の絶対値が大きな値になるようなものである。
すなわち、ＶＣＯ１０１、分周器１０２、位相比較器１０３及びループフィルタ１０４は、基準発振信号の周波数を制御する第１のＰＬＬ（Phase Lock Loop）として機能する。
【００４１】
また、位相比較器１０３は、分周器１０２から供給される交流信号がＩＦ増幅器１４から供給されるＩＦ信号の搬送波成分にロックしたか否か（すなわち、分周器１０２から供給される交流信号とＩＦ信号の搬送波成分の位相差が実質的に０であるか否か）を繰り返し判別し、ロックしたと判別したとき、ロックしたことを示すロック検出信号を生成し、このロック検出信号を、上述のＳＱＬ信号としてミュートスイッチ１７へと供給し、また、外部へと出力する。ロックしていないと判別したときは、ロック検出信号（すなわち、ＳＱＬ信号）の生成及び供給を停止する。
【００４２】
位相比較器１０８は、乗算回路等より構成されており、分周器１０７及び１１２から供給される２つの交流信号の位相差を矩形波のデューティー比として表す誤差信号を生成し、生成した誤差信号をＬＰＦ１０９へと供給する。
ＬＰＦ１０９は、位相比較器１０８より供給される誤差信号に含まれる高調波成分を除去し、高調波成分が実質的に除去された誤差信号をループフィルタ１１０に供給する。
ループフィルタ１１０は積分回路等より構成されており、ＬＰＦ１０９より供給される誤差信号のデューティー比を表すレベルを有する制御信号を生成し、生成した制御信号をＶＣＯ１１１に供給する。
【００４３】
位相比較器１０８が出力する誤差信号は、分周器１０７及び１１２から供給される２つの信号の位相差が実質的に０であるとき、ループフィルタ１１０から、ＶＣＯ１１１が生成する交流信号の周波数の変化分を実質的に０と指定する制御信号が出力されるようなものとなる。
【００４４】
一方、分周器１１２から供給される信号の搬送波成分の位相が、分周器１０７から供給される信号の位相より進んでいるときに位相比較器１０８が出力する誤差信号は、ループフィルタ１１０が出力する制御信号が示す変化分が負の値となるようなものとなる。また、分周器１１２から供給される信号の搬送波成分の位相が、分周器１０７から供給される信号の位相より遅れているときに位相比較器１０８が出力する誤差信号は、ループフィルタ１１０が出力する制御信号が示す変化分が正の値となるようなものとなる。ただし、変化分の値が正負いずれである場合も、ループフィルタ１１０が出力する制御信号が指定する変化分の絶対値は、分周器１０７及び１１２から供給される２つの信号の位相差が大きいほど大きな値になるようにする。
すなわち、ＶＣＯ１１１、分周器１０７、位相比較器１０８、ＬＰＦ１０９及びループフィルタ１１０は、ＶＣＯ１１１が生成する交流信号の周波数を制御する第２のＰＬＬとして機能する。
【００４５】
なお、上述の分周比ｐ、ｑ、ｒ、ｓ及びｔの値は、
（１）  第１の局部発振信号の周波数が、後述する動作により、このＦＭ受信機が受信する対象のＦＭ変調信号の搬送波周波数と所定のオフセット周波数との和（又は差）に収束し、
（２）  第２の局部発振信号の周波数が、後述する動作により、ＢＰＦ１３の通過帯域内の所定の中間周波数とオフセット周波数との差（又は和）へと収束し、
（３）  分周器１０２が位相比較器１０３に供給する交流信号の周波数が、後述する動作により、上述の中間周波数に収束する、
ような値に設定されている。
【００４６】
そして更に、
（４）  上述のオフセット周波数の大きさは３００ヘルツ以内である、
ことが望ましい。再生されるべきＡＦ信号が音声を表す場合、その音声のうち３００ヘルツ程度以下の成分は、再生されなくても再生される音声の正確さは損なわれない。従ってこの場合、Ｉチャンネルベースバンド信号やＱチャンネルベースバンド信号から直流成分を除去する直流除去部７Ｉや７Ｑは、正確に直流成分のみを除去しなくても、実質的にオフセット周波数未満の成分のみを除去するものであれば、復調の正確さを損なうことなく、またＩチャンネルベースバンド信号やＱチャンネルベースバンド信号の搬送波成分を誤って除去することもなく、ミキサ４Ｉや４Ｑが発生する２次歪みの直流成分を除去できる。
【００４７】
換言すれば、分周比ｐ、ｑ、ｒ、ｓ及びｔの値は、このＦＭ受信機が受信する対象のＦＭ変調信号の搬送波周波数をｆ０、第１の局部発振信号の周波数が収束する値をｆ１、第２の局部発振信号の周波数が収束する値をｆ２、中間周波数をｆＩＦ、オフセット周波数をΔｆとする場合、数式１〜数式３に示す関係を実質的に満たすような値とする。そして更に、数式４に示す関係を満たすことが望ましい。
【００４８】
【数１】
ｆ１＝ｆ０±Δｆ
【数２】
（ｆ１／ｔ）＝ｆ２・｛（ｑ・ｒ）／ｓ｝
【数３】
ｆ２・｛（ｑ・ｒ）／ｐ｝＝（ｆ２±Δｆ）＝ｆＩＦ
【数４】
Δｆ≦３００［Ｈｚ］
【００４９】
具体的には、例えば、このＦＭ受信機が受信する対象のＦＭ変調信号の搬送波周波数が４７０メガヘルツで、オフセット周波数が７２ヘルツで、中間周波数が３６．０７２１４９キロヘルツである場合、分周比ｐ、ｑ、ｒ、ｓ及びｔの値は、順に、４９９、２５０、２、３６０及び９４００であれば、数式１〜数式４に示す関係は実質的に満たされる。
このとき、第１の局部発振信号の周波数は約４７０．００００７２メガヘルツに収束し、第２の局部発振信号の周波数は約３６．０００００５５キロヘルツに収束し、分周器１０２が位相比較器１０３に供給する交流信号の周波数は、約３６．０７２１４９キロヘルツに収束する。
【００５０】
（動作）
次に、このＦＭ受信機の動作を説明する。
このＦＭ受信機が受信する対象のＦＭ変調信号がアンテナ１にＲＦ信号を誘起すると、ＲＦ増幅器２がこのＲＦ信号を増幅して分波器３に供給し、分波器３は、ＲＦ増幅器２から供給されたＲＦ信号を、ミキサ４Ｉ及び４Ｑに供給する。
一方、ミキサ４Ｉには局部発振器１１のＶＣＯ１１１が生成する第１の局部発振信号が供給され、ミキサ４Ｑには第１の局部発振信号の位相が実質的に９０度遅れたものに相当する信号である第１移相信号が移相器９より供給される。
【００５１】
ＶＣＯ１１１が出力する交流信号の周波数は、分周器１０７が出力する信号の周波数（つまり、基準発振信号の周波数のｓ分の１）が、分周器１１２が出力する信号の周波数（つまり、ＶＣＯ１１１自身が現に生成している交流信号の周波数のｔ分の１）より高いときは上昇し、低いときは下降する。従って、第１の局部発振信号の周波数は、基準発振信号の周波数のｓ分のｔの値に収束する。
【００５２】
ミキサ４Ｉは、Ｉチャンネルベースバンド信号を生成する。ミキサ４Ｉが生成したＩチャンネルベースバンド信号はＬＰＦ５Ｉによりフィルタリングされ、ＡＦ増幅器６Ｉにより増幅され、更に直流除去部７Ｉにより直流成分の除去を受けた後、ミキサ８Ｉに供給される。
ミキサ４Ｑは、Ｑチャンネルベースバンド信号を生成する。ミキサ４Ｑが生成したＱチャンネルベースバンド信号はＬＰＦ５Ｑによりフィルタリングされ、ＡＦ増幅器６Ｑにより増幅され、更に直流除去部７Ｑにより直流成分の除去を受けた後、ミキサ８Ｑに供給される。
Ｉチャンネルベースバンド信号及びＱチャンネルベースバンド信号に含まれる、ＦＭ変調信号の搬送波成分の周波数は、オフセット周波数に実質的に等しい値へと収束する。
【００５３】
一方、ミキサ８Ｉには局部発振器１１の分周器１０６が出力する第２の局部発振信号が供給され、ミキサ８Ｑには第２の局部発振信号の位相が実質的に９０度遅れたものに相当する信号である第２移相信号が移相器１０より供給される。
【００５４】
ミキサ８Ｉは、直流除去部７Ｉが供給する信号と第２の局部発振信号との積を表す信号のうち、周波数がこれら２つの信号の周波数の和（又は差）に実質的に等しい成分を表す信号を生成し、加算器１２に供給する。第２の局部発振信号は、基準発振信号が分周器１０５により分周比ｑで分周され、更に分周器１０６により分周比ｒで分周されたものである。
ミキサ８Ｑは、直流除去部７Ｑが供給する信号と第２移相信号との積を表す信号のうち、周波数がこれら２つの信号の周波数の和（又は差）に実質的に等しい成分を表す信号を生成し、加算器１２に供給する。
【００５５】
加算器１２は、ミキサ８Ｉ及び８Ｑから供給される信号の和を表す信号を生成する。この信号はＢＰＦ１３によりフィルタリングされてＩＦ信号となり、ＩＦ信号はＩＦ増幅器１４により増幅される。
ＩＦ増幅器１４により増幅されたＩＦ信号はＦＭ検波器１５によりＦＭ復調され、復調により得られたＡＦ信号が、ＬＰＦ１６を経てミュートスイッチ１７へと供給される。
【００５６】
一方、ＩＦ増幅器１４に増幅されたＩＦ信号は局部発振器１１の位相比較器１０３にも供給され、位相比較器１０３は、このＩＦ信号の搬送波成分と分周器１０２から供給される交流信号との位相差を表す誤差信号を生成してループフィルタ１０４に供給する。ループフィルタ１０４は、この誤差信号に基づき制御信号を生成する。
【００５７】
ループフィルタ１０４が出力する制御信号は、分周器１０２が出力する信号の周波数（つまり、基準発振信号の周波数のｐ分の１）が中間周波数より高いときは、基準発振信号の周波数を下降させるものとなる。また、中間周波数より低いときは、基準発振信号の周波数を上昇させるものとなる。従って、基準発振信号の周波数は、中間周波数のｐ倍の値に収束する。そして、第２の局部発振信号の周波数は、基準発振信号の周波数の（ｑ・ｒ）分の１の値となる。
そして、ＩＦ信号に含まれる、ＦＭ変調信号の搬送波成分の周波数は、第２の局部発振信号の周波数とオフセット周波数との和（又は差）に実質的に等しい値へと収束する。
また、位相比較器１０３は、分周器１０２から供給される交流信号がＩＦ増幅器１４から供給されるＩＦ信号の搬送波成分にロックすると、ロック検出信号（ＳＱＬ信号）をミュートスイッチ１７へと供給し、また、外部へと出力する。
【００５８】
ミュートスイッチ１７は、局部発振器１１よりＳＱＬ信号が供給されると、ＬＰＦ１６から供給されるＡＦ信号をＡＦ増幅器１８へと供給し、ＡＦ増幅器１８は、このＡＦ信号を増幅し、増幅したＡＦ信号を、このＦＭ受信機の出力信号として出力し、再生する。
【００５９】
以上説明した動作の結果、このＦＭ受信機に受信されたＦＭ変調信号が復調され、ＡＦ信号が表す音声が再生される。
このＦＭ受信機はダイレクトコンバージョンの手法によりＦＭ変調信号の復調を行う。そして、第１及び第２の局部発振信号は、いずれも単一の基準発振信号に基づいて生成される。また、スケルチ回路を備えることなく、ＦＭ変調信号が受信されていない間に増大する雑音を抑制する。従って構成が簡単である。また、基準発振信号の周波数は、中間周波数のｐ倍の値へと収束する。従って調整も容易である。
【００６０】
このＦＭ受信機は、分周器１０２から供給される交流信号がＩＦ増幅器１４から供給されるＩＦ信号の搬送波成分にロックしてからＡＦ信号の再生を行う。このため、再生されるＡＦ信号が、ＦＭ変調に用いられた元の信号波と一致しなくなることが防止される。また、雑音の成分が減少しても、ロックする対象のＩＦ信号が存在しなければミュートスイッチ１７がＡＦ信号を通過させないから、雑音の成分の減少によって雑音の誤った再生が開始されることがない。また、ＳＱＬブロッキングも発生しにくい。
【００６１】
なお、このＦＭ受信機の構成は、上述のものに限られない。
例えば、分波器３は、Ａ／Ｄ（Analog-to-Digital）変換器と、ＤＳＰ（Digital Signal Processor）やＣＰＵ（Central Processing Unit）とから構成されていてもよい。また、ＦＭ検波器１５は、ＤＳＰやＣＰＵとＤ／Ａ（Digital-to-Analog）変換器とより構成されていてもよい。そして、このＦＭ受信機の他の構成要素の機能の一部又は全部が、ＤＳＰやＣＰＵにより行われていてもよい。
【００６２】
また、このＦＭ受信機は、ＦＭ変調信号をアンテナ１から取得する必要はなく、例えば、ＦＭ変調信号を有線回線より取得してもよい。また、ＲＦ増幅器２は省略可能である。
また、このＦＭ受信機は、ＰＭ（Phase Modulation）変調信号を復調してもよい。この場合、例えばＦＭ検波器１５あるいはＡＦ増幅器１８が、ＩＦ信号をＦＭ復調して得られたＡＦ信号を積分するための積分回路等を備えるものとすればよい。
【００６３】
また、位相比較器１０３は、分周器１０２から供給される交流信号がＩＦ増幅器１４から供給されるＩＦ信号の搬送波成分にロックしていないと判別したときに制御信号を生成してミュートスイッチ１７へと供給し、ロックしたと判別したときにこの制御信号の生成及び供給を停止するようにしてもよい。
この場合、ミュートスイッチ１７は、局部発振器１１よりこの制御信号が供給されていないときＬＰＦ１６から供給されるＡＦ信号をＡＦ増幅器１８へと供給し、供給されているときはＬＰＦ１６から供給されるＡＦ信号を実質的に遮断するようにしてもよい。
【００６４】
また、分周比ｐ、ｑ、ｒ、ｓ及びｔの値は、上述した関係を満たす限り任意である。従って、分周器１０２、１０５、１０６、１０７及び１１２のうち少なくともいずれかが、その分周比を変えられるようなものであってもよい。そして、例えば、分周器１１２の分周比を可変とすれば、このＦＭ受信機は、受信する対象のＦＭ変調信号の搬送波周波数を可変とすることができる。
【００６５】
以上、この発明にかかるスケルチ装置、角度復調装置及びスケルチ方法を説明したが、この発明のスケルチ装置及び角度復調装置は、専用のシステムによらず、通常のコンピュータシステムを用いて実現可能である。例えば、Ａ／Ｄ変換器、Ｄ／Ａ変換器を備えるパーソナルコンピュータに、上述の動作を実行するためのプログラムを格納した媒体（フロッピーディスク、ＣＤ−ＲＯＭ等）から該プログラムをインストールすることにより、上記処理を実行するＦＭ受信機を構成することができる。
【００６６】
また、例えば、通信ネットワークの掲示板（ＢＢＳ）に該プログラムを掲示し、これをネットワークを介して配信してもよい。ネットワークを介した配信は、該プログラムにより搬送波を変調して得られる変調信号を伝送することにより行ってもよい。
そして、このプログラムを起動し、ＯＳの制御下に、他のアプリケーションプログラムと同様に実行することにより、上述の処理を実行することができる。
【００６７】
なお、ＯＳが処理の一部を分担する場合、あるいは、ＯＳが本願発明の１つの構成要素の一部を構成するような場合には、記録媒体には、その部分を除いたプログラムを格納してもよい。この場合も、この発明では、その記録媒体には、コンピュータが実行する各機能又はステップを実行するためのプログラムが格納されているものとする。
【００６８】
【発明の効果】
以上説明したように、この発明によれば、構成が簡単な角度復調装置及び角度変調信号の復調方法が実現される。
また、この発明によれば、角度復調信号の不正確な再生が防止される角度復調装置及び角度変調信号の復調方法が実現される。
また、この発明によれば、角度復調信号を再生し、雑音の再生を阻止する角度復調装置及び角度変調信号の復調方法が実現される。
【図面の簡単な説明】
【図１】この発明の実施の形態にかかるＦＭ受信機の基本構成を示すブロック図である。
【図２】図１のＦＭ受信機の局部発振器の基本構成を示すブロック図である。
【符号の説明】
１                                          アンテナ
２                                          ＲＦ増幅器
３                                          分波器
４Ｉ、４Ｑ、８Ｉ、８Ｑ                      ミキサ
５Ｉ、５Ｑ、１０９、１６                    ＬＰＦ
６Ｉ、６Ｑ、１８                            ＡＦ増幅器
７Ｉ、７Ｑ                                  直流除去部
９、１０                                    移相器
１１                                        局部発振器
１０１、１１１                              ＶＣＯ
１０２、１０５、１０６、１０７、１１２      分周器
１０３、１０８                              位相比較器
１０４、１１０                              ループフィルタ
１２                                        加算器
１３                                        ＢＰＦ
１４                                        ＩＦ増幅器
１５                                        ＦＭ検波器
１７                                        ミュートスイッチ
【図１】
0003773402.tif 000002
【図２】
0003773402.tif 000003